(57)【特許請求の範囲】
【請求項１】
複数の画素電極と、画像信号が供給されるデータ線と、前記複数の画素電極との間の電気的な接続を制御するために走査信号が順に供給される走査線と、夫々の一端が前記複数の画素電極のうちの対応する画素電極に電気的に接続される複数の蓄積容量素子と、前記複数の画素電極と対向電極との間に印加される電界に応じて駆動される電気光学物質とを備える電気光学装置を駆動する駆動装置であって、
前記複数の蓄積容量素子のうちの第１水平ラインに対応する一又は複数の第１蓄積容量素子の他端に、第１電圧及び該第１電圧とは異なる第２電圧の一方を供給し、且つ前記複数の蓄積容量素子のうちの前記第１水平ラインの後段に位置する第２水平ラインに対応する一又は複数の第２蓄積容量素子の他端に、前記第１電圧及び前記第２電圧の他方を供給する供給回路と、
所定期間毎に、前記第１蓄積容量素子の他端及び前記第２蓄積容量素子の他端に供給される電圧の夫々を、前記第１電圧から前記第２電圧へと又は前記第２電圧から前記第１電圧へと切り替える切替動作を行うと共に、該切替動作を前記複数の蓄積容量素子に対して順に行う切替回路と、
前記切替回路により切り替えられる電圧が前記第１蓄積容量素子及び前記第２蓄積容量素子の少なくとも一方の他端に供給される前に、前記第１蓄積容量素子の他端と前記第２蓄積容量素子の他端とを電気的に相互に接続する制御回路と
を備え、
前記走査信号が１以上の水平ライン毎に供給されており、
前記制御回路は、前記第１水平ラインおよび第２水平ラインに対応して設けられた短絡制御回路部を含み、
前記短絡制御回路部は、ソース端子が前記第１蓄積容量素子に接続され、ドレイン端子が前記第２蓄積容量素子に接続され、非反転入力ゲート端子が前記第２水平ラインの後段に位置する第３水平ラインに対応する前記走査線に接続されたトランジスタと、ソース端子に前記第１電圧及び前記第２電圧の一方が供給され、ドレイン端子が前記第１蓄積容量素子に接続され、反転入力ゲート端子が前記第３水平ラインに対応する前記走査線に接続されたトランジスタと、ソース端子に前記第１電圧及び前記第２電圧の他方が供給され、ドレイン端子が第２蓄積容量素子に接続され、反転入力ゲート端子が前記第３水平ラインに対応する前記走査線に接続されたトランジスタと、を含むことを特徴とする駆動装置。
【請求項２】
前記制御回路は、前記第３水平ラインに対応する前記走査線に供給される前記走査信号に応じたタイミングで、前記第１蓄積容量素子の他端と前記第２蓄積容量素子の他端とを電気的に相互に接続することを特徴とする請求項１に記載の駆動装置。
【請求項３】
前記制御回路は、前記第３水平ラインに対応する前記走査線に供給される前記走査信号が選択状態レベルとなっている間、前記第１蓄積容量素子の他端と前記第２蓄積容量素子の他端とを電気的に相互に接続することを特徴とする請求項２に記載の駆動装置。
【請求項４】
前記制御回路は、前記第３水平ラインに対応する前記走査線に供給される前記走査信号が非選択状態レベルとなっている間、前記第１蓄積容量素子の他端を前記第２蓄積容量素子の他端から電気的に切り離すことを特徴とする請求項２又は３に記載の駆動装置。
【請求項５】
前記切替回路は、(i)前記第１水平ラインに対応する前記走査線に前記選択状態レベルの前記走査信号が供給されている場合に前記データ線の電位が正極性書込に対応するものであったならば、前記第３水平ラインに対応する前記走査線に供給される前記走査信号が非選択状態レベルに遷移した後に、前記第１蓄積容量素子の他端の電位を高位側にシフトさせると共に前記第２蓄積容量素子の他端の電位を低位側にシフトさせる一方、(ii)前記第１水平ラインに対応する前記走査線に前記選択状態レベルの前記走査信号が供給されている場合に前記データ線の電位が負極性書込に対応するものであったならば、前記第３水平ラインに対応する前記走査線に供給される前記走査信号が非選択状態レベルに遷移した後に、前記第１蓄積容量素子の他端の電位を低位側にシフトさせると共に前記第２蓄積容量素子の他端の電位を高位側にシフトさせるように、前記第１蓄積容量素子の他端及び前記第２蓄積容量素子の他端に供給される電圧の夫々を、前記第１電圧から前記第２電圧へと又は前記第２電圧から前記第１電圧へと切り替える切替動作を行うことを特徴とする請求項２から４のいずれか一項に記載の駆動装置。
【請求項６】
前記切替回路は、隣り合う２つの水平ラインに対応する蓄積容量素子の組に１つずつ対応するように設けられており、
前記第１蓄積容量素子及び前記第２蓄積容量素子に対応する前記切替回路は、前記複数の蓄積容量素子のうち前記第２水平ラインの後段に隣接する第３水平ラインに対応する前記走査線に供給される前記走査信号に応じたタイミングで、前記供給回路から前記第１蓄積容量素子の他端及び前記第２蓄積容量素子の他端の夫々に供給される電圧を、前記第１電圧から前記第２電圧へと又は前記第２電圧から前記第１電圧へと切り替えることを特徴とする請求項１から５のいずれか一項に記載の駆動装置。
【請求項７】
請求項１から６のいずれか一項に記載の駆動装置を備えることを特徴とする電気光学装置。
【請求項８】
請求項７に記載の電気光学装置を備えることを特徴とする電子機器。
【発明の詳細な説明】
【技術分野】
【０００１】
本発明は、例えば液晶装置等の電気光学装置を駆動するための駆動装置、このような駆動装置を備える電気光学装置、及びこのような電気光学装置を備える電子機器の技術分野に関する。
【背景技術】
【０００２】
この種の電気光学装置として、一対の素子基板及び対向基板間に、電気光学物質の一例である液晶が挟持される液晶装置が一例としてあげられる。素子基板上における複数の画素が配列されてなる画素領域には、走査線及びデータ線の交差に対応して画素電極を含む画素部が形成されることにより、複数の画素部がマトリクス状に平面配列される。そして、各画素部には、画素スイッチング素子として、例えば薄膜トランジスタ（Thin Film Transistor；以下適宜、「ＴＦＴ」と称する）が含まれる。電気光学装置の駆動時、各画素部において、走査線より走査信号が供給されることにより画素スイッチング素子がオン状態となると、データ線より画素スイッチング素子を介して画素電極に画像信号が供給される。また、典型的には、複数の画素電極に対応して、画素領域の概ね全体に、複数の画素部に共通に共通電極（或いは、対向電極）がベタ状に形成されている。そして、液晶装置の駆動時には、画素電極と共通電極との間の電位差に基づく印加電圧が液晶に印加される。その結果、液晶の配向や秩序が制御され、画像表示が可能となる。
【０００３】
ところで、液晶装置には、適用される電子機器の特性、特長及び用途等から、低消費電力が強く求められている。この一方、データ線は高い周波数で駆動され且つ液晶の駆動には通常１０ボルト以上の高い電圧振幅が必要であるため、データ線には高い電圧振幅を有する画像信号が供給されるのが一般的である。
【０００４】
このような低消費電力化の要請に応えるために、特許文献１には、データ線に供給される画像信号の電位が正極性書込に対応するものであるか又は負極性書込に対応するものであるかに応じて、液晶と並列に接続される蓄積容量素子（例えば、キャパシタ）の他端の電位を、高位側又は低位側にシフトさせることにより、データ線に供給される画像信号の電圧振幅を低減させ、その結果低消費電力化を実現する液晶装置が開示されている。また、特許文献２には、特許文献１に開示された構成に加えて、データ線の電位を、一群の走査線同士について同一の書込極性に対応した電圧にすることにより、データ線を反転駆動する周波数を低下させ、その結果更なる低消費電力化を実現する液晶装置が開示されている。
【０００５】
【特許文献１】特開２００２−１９６３５８号公報
【特許文献２】特開２００６−３１３３１９号公報
【発明の開示】
【発明が解決しようとする課題】
【０００６】
他方で、消費電力の更なる低減の要請は依然として求められていることに変わりはない。
【０００７】
本発明は、例えば上述した従来の問題点に鑑みなされたものであり、例えば消費電力のより一層の削減を実現する駆動装置、このような駆動装置を備える電気光学装置、及びこのような駆動装置を備える電子機器を提供することを課題とする。
【課題を解決するための手段】
【０００８】
（駆動装置）
本発明の駆動装置は、複数の画素電極と、画像信号が供給されるデータ線と、前記複数の画素電極との間の電気的な接続を制御するために走査信号が順に供給される走査線と、夫々の一端が前記複数の画素電極のうちの対応する画素電極に電気的に接続される複数の蓄積容量素子と、前記複数の画素電極と対向電極との間に印加される電界に応じて駆動される電気光学物質とを備える電気光学装置を駆動する駆動装置であって、前記複数の蓄積容量素子のうちの第１水平ラインに対応する一又は複数の第１蓄積容量素子の他端に、第１電圧及び該第１電圧とは異なる第２電圧の一方を供給し、且つ前記複数の蓄積容量素子のうちの前記第１水平ラインの後段に位置する第２水平ラインに対応する一又は複数の第２蓄積容量素子の他端に、前記第１電圧及び前記第２電圧の他方を供給する供給回路と、所定期間毎に、前記第１蓄積容量素子の他端及び前記第２蓄積容量素子の他端に供給される電圧の夫々を、前記第１電圧から前記第２電圧へと又は前記第２電圧から前記第１電圧へと切り替える切替動作を行うと共に、該切替動作を前記複数の蓄積容量素子に対して順に行う切替回路と、前記切替回路により切り替えられる電圧が前記第１蓄積容量素子及び前記第２蓄積容量素子の少なくとも一方の他端に供給される前に、前記第１蓄積容量素子の他端と前記第２蓄積容量素子の他端とを電気的に相互に接続する制御回路とを備え、前記走査信号が１以上の水平ライン毎に供給されており、前記制御回路は、前記第１水平ラインおよび第２水平ラインに対応して設けられた短絡制御回路部を含み、前記短絡制御回路部は、ソース端子が前記第１蓄積容量素子に接続され、ドレイン端子が前記第２蓄積容量素子に接続され、非反転入力ゲート端子が前記第２水平ラインの後段に位置する第３水平ラインに対応する前記走査線に接続されたトランジスタと、ソース端子に前記第１電圧及び前記第２電圧の一方が供給され、ドレイン端子が前記第１蓄積容量素子に接続され、反転入力ゲート端子が前記第３水平ラインに対応する前記走査線に接続されたトランジスタと、ソース端子に前記第１電圧及び前記第２電圧の他方が供給され、ドレイン端子が第２蓄積容量素子に接続され、反転入力ゲート端子が前記第３水平ラインに対応する前記走査線に接続されたトランジスタと、を含むことを特徴とする。
【０００９】
本発明の駆動装置によれば、例えば液晶装置等の電気光学装置が備える画素電極や対向電極や蓄積容量素子等に対して電圧を供給することにより、電気光学装置を駆動することができる。本発明に係る駆動装置による駆動対象となる電気光学装置は、例えば画像信号が供給されるデータ線と走査信号が供給される走査線との交差位置に対応するように設けられる複数の画素電極と、該複数の画素電極に対応するように設けられる一又は複数の対向電極とを備えている。また、電気光学装置は、夫々の一端が対応する画素電極と電気的に接続される複数の蓄積容量素子を備えている。そして、複数の画素電極と一又は複数の対向電極との間の電位差に起因した電圧が電気光学物質に印加されると共に、該電圧が蓄積容量素子に保持されることで、画像表示等が行われる。
【００１０】
このような電気光学装置を駆動するため（特に、複数の蓄積容量素子に対して電圧を供給するために）、本発明に係る駆動装置は、供給回路と、切替回路とを備えている。
【００１１】
供給回路は、電気光学装置が備える複数の蓄積容量素子の夫々の他端（つまり、画素電極と電気的に接続される一端とは逆側の端部）に対して電圧を供給する。ここで、本発明に係る供給回路は、複数の蓄積容量素子のうちの第１水平ラインに対応する第１蓄積容量素子の他端に対して、第１電圧（例えば、相対的にハイレベルな電圧）及び第２電圧（例えば、相対的にローレベルな電圧）のうちの一方を供給する。また、本発明に係る供給回路は、複数の蓄積容量素子のうちの第１水平ラインの後段に隣接する第２蓄積容量素子の他端に対して、第１電圧及び第２電圧のうちの他方を供給する。尚、本発明においては、「第１蓄積容量素子」は、第１のグループに属する一又は複数の蓄積容量素子であって、典型的には、例えば奇数行に属する蓄積容量素子又はその一部が一例としてあげられる。また、「第２蓄積容量素子」は、第１蓄積容量素子が対応する第１水平ラインの後段に隣接する第２水平ラインに対応する蓄積容量素子（言い換えれば、第１グループとは異なる第２のグループに属する一又は複数の蓄積容量素子）を示す趣旨であって、典型的には、例えば偶数行に属する蓄積容量素子又はその一部が一例としてあげられる。また、本発明における「後段」とは、電気光学装置における走査方向（特に、垂直走査の方向）に対する後側（つまり、走査の順序が後側又は遅い側）であることを示す趣旨である。つまり、第１蓄積容量素子に対応する行における水平走査が行われた後、第２蓄積容量素子に対応する行における水平走査が行われる。このため、本発明においては、例えば、第１蓄積容量素子に対応する水平ラインと第２蓄積容量素子に対応する水平ラインとが交互に複数配列されている。従って、本発明に係る供給回路は、例えば、相隣接する２つの水平ラインに対応する蓄積容量素子の夫々の他端に供給される電圧の電位レベルが異なる（言い換えれば、反転する）ように、第１電圧及び第２電圧の夫々を、複数の蓄積容量素子の夫々の他端に対して供給する。言い換えれば、第1電圧及び第２電圧の中間に設定された基準電圧に対して、第1電圧及び第２電圧は相互に逆極性であり、複数の蓄積容量素子に対して水平ライン毎に電圧が極性反転されつつ逐次印加される。
【００１２】
切替回路は、第１蓄積容量素子の他端に供給される電圧を、所定期間毎に、第１電圧から第２電圧へと又は第２電圧から第１電圧へと切り替える。ここに「所定期間」とは、供給される画像信号を反転させる期間として、駆動方式に対応して予め設定される期間を意味し、例えば、一垂直走査期間、一水平走査期間、フレーム期間、フィールド期間等が一例としてあげられる。具体的には、例えば、第１電圧が第１蓄積容量素子の他端に供給されている場合には、切替回路の動作により、第１蓄積容量素子の他端に供給される電圧が第１電圧から第２電圧へと切り替えられる。同様に、例えば、第２電圧が第１蓄積容量素子の他端に供給されている場合には、切替回路の動作により、第１蓄積容量素子の他端に供給される電圧が第２電圧から第１電圧へと切り替えられる。同様に、第２蓄積容量素子の他端に供給される電圧を、第１電圧から第２電圧へと又は第２電圧から第１電圧へと切り替える。このため、切替後においても、相隣接する２つの水平ラインに対応する第１蓄積容量素子及び第２蓄積容量素子の夫々の他端に供給される電圧の電位レベルが異なる状態が維持されている。この切替動作は、複数の蓄積容量素子の夫々に対して順に行われる。例えば、切替動作は、１水平走査期間毎に１つの水平ラインに対応する蓄積容量素子に対して行われてもよい。つまり、ある水平走査期間において、ある水平ラインに対応する蓄積容量素子に対する切替動作を行った後、次の水平走査期間において次の水平ラインに対応する蓄積容量素子に対する切替動作を行ってもよい。或いは、２水平走査期間毎に相隣接する２つの水平ラインに対応する蓄積容量素子（つまり、第１蓄積容量素子及び第２蓄積容量素子）に対して行われてもよい。つまり、連続する２つの水平走査期間において、ある相隣接する２つの水平ラインに対応する蓄積容量素子に対する切替動作を行った後、次の連続する２つの水平走査期間において次の相隣接する２つの水平ラインに対応する蓄積容量素子に対する切替動作を行ってもよい。但し、１つの水平ラインに対応する蓄積容量素子における切替動作に限って見れば、典型的には、例えば、１垂直走査期間毎に（或いは、１フレーム周期毎に）行われるが、もちろん、その他の周期で行われてもよい。
【００１３】
ここで、本発明では、後に詳述するように、切替回路は、データ線に供給される画像信号の電圧の極性に応じて第１蓄積容量素子の他端と第２蓄積容量素子の他端との夫々の電位を高位側（例えば、第１電圧）又は低位側（例えば、第２電圧）にシフトさせるように、第１蓄積容量素子の他端及び第１蓄積容量素子の他端に供給される電圧を、所定期間毎に、第１電圧から第２電圧へと又は第２電圧から第１電圧へと切り替える。
【００１４】
本発明に係る駆動装置は更に、電気光学装置を駆動させるために必要な消費電力の一層の削減を実現するために、制御回路を備えている。制御回路は、切替回路により切り替えられる電圧が第１蓄積容量素子及び第２蓄積容量素子の少なくとも一方の他端に実際に供給される前に（或いは、第１蓄積容量素子及び第２蓄積容量素子の少なくとも一方の他端に供給される電圧の切替動作が行われる前に）、第１蓄積容量素子の他端と第２蓄積容量素子の他端とを電気的に相互に接続する。典型的には、第１蓄積容量素子の他端と第２蓄積容量素子の他端とを、直接的に相互に短絡させる又は所定の素子を介して間接的に相互に短絡させる。このとき、合わせて、第１蓄積容量素子の他端と第２蓄積容量素子の他端との夫々を、供給回路から電気的に切り離すように構成することが好ましい。
【００１５】
ここで、第１蓄積容量素子の他端と第２蓄積容量素子の他端とに供給されていた電圧の夫々の電位レベルが異なるため、第１蓄積容量素子の他端と第２蓄積容量素子の他端とを短絡させた後は、第１蓄積容量素子の他端と第２蓄積容量素子の他端との夫々の電位は、第１電圧の電位と第２電圧の電位との間の中間電位となる。つまり、第１蓄積容量素子の他端と第２蓄積容量素子の他端とを電気的に相互に接続することで、特段の電力を供給（或いは、消費）しなくとも、第１蓄積容量素子の他端と第２蓄積容量素子の他端の夫々の電位を、第１電圧の電位又は第２電圧の電位から中間電位へと遷移させることができる。その後、切替回路による切替動作が行われるため、第１蓄積容量素子の他端と第２蓄積容量素子の他端との夫々の電位は、第１電圧の電位又は第２電圧の電位となる。
【００１６】
このように、本発明では、データ線に供給される画像信号の電圧の極性に応じて第１蓄積容量素子の他端と第２蓄積容量素子の他端との夫々の電位を高位側（例えば、第１電圧）又は低位側（例えば、第２電圧）にシフトさせている。これにより、蓄積容量素子の一端の電位が持ち上げられる又は持ち下げられると同時に、持ち上げられた又は持ち下げられた分の電荷が電気光学物質に分配される。その結果、電気光学物質には、データ線に供給される画像信号の電圧以上の電圧実効値が印加されることになる。つまり、最終的に画素電極を介して電気光学物質に印加される電圧と比較して、データ線に供給される画像信号の電圧の振幅を小さくすることができる。このため、低消費電力化を図ることができる。
【００１７】
加えて、第１蓄積容量素子の他端や第２蓄積容量素子の他端の夫々の電位を反転させるために、供給回路は、中間電位と第１電圧の電位との電位差又は中間電位と第２電圧の電位との電位差を与えることができる程度の相対的に小さな電力を消費すれば足りる。言い換えれば、供給回路は、第１電圧の電位と第２電圧の電位との電位差又は第２電圧の電位と第１電圧の電位との電位差を与える程度に相対的に大きな電力を消費する必要はない。このため、本発明によれば、第１電圧の電位と第２電圧の電位との電位差又は第２電圧の電位と第１電圧の電位との電位差を与える必要がある構成（つまり、切替動作の前に、第１蓄積容量素子の他端と第２蓄積容量素子の他端とを電気的に接続しない構成）と比較して、電気光学装置の駆動（特に、蓄積容量素子に電位を書き込む動作）に必要な消費電力のより一層の削減を図ることができる。
【００２２】
本発明の駆動装置の他の態様では、前記電気光学装置は、画像信号が供給されるデータ線と前記複数の画素電極との間の電気的な接続を制御するために走査信号が順に供給される走査線を備え、前記走査信号が１以上の水平ライン毎に供給されており、前記制御回路は、前記複数の蓄積容量素子のうち前記第２水平ラインの後段に位置する第３水平ラインに対応する前記走査線に供給される前記走査信号に応じたタイミングで、前記第１蓄積容量素子の他端と前記第２蓄積容量素子の他端とを電気的に相互に接続する。
【００２３】
この態様によれば、走査信号は、画素電極に画像信号を印加するタイミングを制御する信号であるため、例えば画素電極に供給される画像信号の電位に応じた書込が電気光学物質及び蓄積容量素子に対して行われた後に、第１蓄積容量素子の他端と第２蓄積容量素子の他端とを電気的に相互に接続することができる。その後、後に詳述するように、データ線に供給される画像信号の電圧の極性に応じて、第１蓄積容量素子の他端と第２蓄積容量素子の他端との夫々の電位が高位側又は低位側にシフトさせられる。従って、制御回路により実現される第１蓄積容量素子の他端と第２蓄積容量素子の他端との間の電気的な接続が、通常の画像表示に影響を与えることはない。
【００２４】
加えて、後段の走査信号に応じたタイミングに基づいて第１蓄積容量素子の他端と第２蓄積容量素子の他端とを電気的に接続しているため、走査方向が順方向であっても又は逆方向であっても、画素電極に供給される画像信号の電位に応じた書込が電気光学物質及び蓄積容量素子に対して行われた後に、第１蓄積容量素子の他端と第２蓄積容量素子の他端とを電気的に相互に接続することができる。
【００２５】
上述の如く走査信号に応じたタイミングで第１蓄積容量素子の他端と第２蓄積容量素子の他端とを電気的に相互に接続する駆動装置の態様では、前記制御回路は、前記第３水平ラインに対応する前記走査線に供給される前記走査信号が選択状態レベルとなっている間、前記第１蓄積容量素子の他端と前記第２蓄積容量素子の他端とを電気的に相互に接続するように構成してもよい。
【００２６】
このように構成すれば、走査信号に基づいて、適切なタイミングで、第１蓄積容量素子の他端と第２蓄積容量素子の他端とを電気的に相互に接続することができる。その結果、上述した各種効果を好適に享受することができる。
【００２７】
尚、本発明における「選択状態レベル」とは、走査線と電気的に接続されていると共に走査信号のレベルに応じて状態が切り替わるＴＦＴ等のスイッチング素子をオン状態とする（言い換えれば、該スイッチング素子を含む画素部を選択状態とする）ことができるレベルを示す趣旨である。
【００２８】
上述の如く走査信号に応じたタイミングで第１蓄積容量素子の他端と第２蓄積容量素子の他端とを電気的に相互に接続する駆動装置の態様では、前記制御回路は、前記第３水平ラインに対応する前記走査線に供給される前記走査信号が非選択状態レベルとなっている間、前記第１蓄積容量素子の他端を前記第２蓄積容量素子の他端から電気的に切り離すように構成してもよい。
【００２９】
このように構成すれば、走査信号に基づいて、適切なタイミングで、第１蓄積容量素子の他端を第２蓄積容量素子の他端から電気的に切り離すことができる。その結果、上述した各種効果を好適に享受することができる。
【００３０】
尚、本発明における「非選択状態レベル」とは、走査線と電気的に接続されていると共に走査信号のレベルに応じて状態が切り替わるＴＦＴ等のスイッチング素子をオフ状態とする（言い換えれば、該スイッチング素子を含む画素部を非選択状態とする）ことができるレベルを示す趣旨である。
【００３１】
上述の如く走査信号に応じたタイミングで第１蓄積容量素子の他端と第２蓄積容量素子の他端とを電気的に相互に接続する駆動装置の態様では、前記切替回路は、(i)前記第１水平ラインに対応する前記走査線に前記選択状態レベルの前記走査信号が供給されている場合に前記データ線の電位が正極性書込に対応するものであったならば、前記第３水平ラインに対応する前記走査線に供給される前記走査信号が非選択状態レベルに遷移した後に、前記第１蓄積容量素子の他端の電位を高位側にシフトさせると共に前記第２蓄積容量素子の他端の電位を低位側にシフトさせる一方、(ii)前記第１水平ラインに対応する前記走査線に前記選択状態レベルの前記走査信号が供給されている場合に前記データ線の電位が負極性書込に対応するものであったならば、前記第３水平ラインに対応する前記走査線に供給される前記走査信号が非選択状態レベルに遷移した後に、前記第１蓄積容量素子の他端の電位を低位側にシフトさせると共に前記第２蓄積容量素子の他端の電位を高位側にシフトさせるように、前記第１蓄積容量素子の他端及び前記第２蓄積容量素子の他端に供給される電圧の夫々を、前記第１電圧から前記第２電圧へと又は前記第２電圧から前記第１電圧へと切り替える切替動作を行うように構成してもよい。
【００３２】
このように構成すれば、画素電極に供給される画像信号の電位に応じた書込が電気光学物質及び蓄積容量素子に対して行われ且つ第１蓄積容量素子の他端と第２蓄積容量素子の他端とが電気的に相互に接続された後に、第１蓄積容量素子の他端と第２蓄積容量素子の他端の夫々の電位を高位側又は低位側へシフトすることができる。つまり、好適なタイミングで、第１蓄積容量素子の他端と第２蓄積容量素子の他端の夫々の電位を高位側又は低位側へシフトすることができる。
【００３３】
本発明の駆動装置の他の態様では、前記切替回路は、隣り合う２つの水平ラインに対応する蓄積容量素子の組に１つずつ対応するように設けられており、前記第１蓄積容量素子及び前記第２蓄積容量素子に対応する前記切替回路は、前記複数の蓄積容量素子のうち前記第２水平ラインの後段に隣接する第３水平ラインに対応する前記走査線に供給される前記走査信号に応じたタイミングで、前記供給回路から前記第１蓄積容量素子の他端及び前記第２蓄積容量素子の他端の夫々に供給される電圧を、前記第１電圧から前記第２電圧へと又は前記第２電圧から前記第１電圧へと切り替える。
【００３４】
この態様によれば、２つの水平ライン毎に１つの切替回路を備えればよくなるため、１つの水平ライン毎に１つの切替回路を備える構成と比較して、切替回路の動作に必要な消費電力の削減を一層図ることができる。また、切替回路を配置するための物理的なスペースをも削減することができるため、例えば狭額縁化をも図ることができる。
【００３５】
（電気光学装置）
上記課題を解決するために、本発明の電気光学装置は、上述した本発明の駆動装置（但し、その各種態様を含む）を備える。
【００３６】
本発明の電子機器によれば、上述した本発明の駆動装置（或いは、その各種態様）備えているため、上述した本発明の駆動装置が享受する各種効果と同様の効果を享受することができる。つまり、上述した本発明の駆動装置が享受する各種効果と同様の効果を享受することができる液晶装置等の各種電気光学装置を実現することができる。
【００３７】
（電子機器）
上記課題を解決するために、本発明の電子機器は、上述した本発明の電気光学装置（但し、その各種態様を含む）を備える。
【００３８】
本発明の電子機器によれば、上述した本発明の電気光学装置（或いは、その各種態様）備えているため、上述した本発明の電気光学装置が享受する各種効果と同様の効果を享受することができる。つまり、上述した本発明の電気光学装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００３９】
本発明の作用及び他の利得は次に説明する実施の形態から更に明らかにされよう。
【発明を実施するための最良の形態】
【００４０】
以下、本発明を実施するための最良の形態を、図面に基づいて説明する。尚、以下では、本発明に係る電気光学装置の一例として、液晶装置を用いて説明を進める。
【００４１】
（１）液晶装置の基本構成
先ず、本実施形態に係る液晶装置の構成について、図１及び図２を参照して説明する。図１は、本実施形態に係る液晶装置の構成を示す平面図であり、図２は、図１のＨ−Ｈ’断面図である。
【００４２】
図１及び図２において、本実施形態に係る液晶装置では、本発明に係る「一対の基板」の一例としてのＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置する枠状或いは額縁状のシール領域に設けられたシール材５２により互いに貼り合わされている。
【００４３】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。但し、データ線駆動回路１０は、シール領域よりも内側に、データ線駆動回路１０１が額縁遮光膜５３に覆われるようにして設けられていてもよい。この一辺に沿ったシール領域よりも内側に、サンプリング回路７が額縁遮光膜５３に覆われるようにして設けられている。また、走査線駆動回路１０４及び本発明における「駆動装置」の一具体例を構成する共通線駆動回路１１０は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４４】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００４５】
図２において、ＴＦＴアレイ基板１０上には、駆動素子である画素スイッチング用のＴＦＴ（Thin Film Transistor）や走査線、データ線等の配線が作り込まれた積層構造が形成されている。画像表示領域１０ａには、画素スイッチング用ＴＦＴや走査線、データ線等の配線の上層に画素電極９ａがマトリクス状に設けられている。画素電極９ａ上には、配向膜８が形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、ＩＴＯ等の透明材料からなる対向電極２１が複数の画素電極９ａと対向してベタ状に形成されている。対向電極２１上には配向膜８が形成されている。また、液晶層５０は、例えば一種又は数種類のネマティック液晶を混合した液晶からなり、これら一対の配向膜間で、所定の配向状態をとる。上記構成はＴＦＴアレイ基板１０の画素電極９ａと対向基板２０の対向電極２１の間の電界により液晶層５０を駆動する所謂縦電界のモードの構成であるが、ＩＰＳ（イン・プレーン・スイッチング）、ＦＦＳ（フリンジ・フィールド・スイッチング）等の横電界モードの構成でも良い。横電界モードではＴＦＴアレイ基板側に画素電極と対向電極が配置されるため、対向基板に電極がないため、ＴＦＴアレイ基板と対向基板を接続する上下導通端子が必要なくなる。
【００４６】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００４７】
（２）液晶装置の詳細な構成
続いて、図３を参照して、本実施形態に係る液晶装置１００の要部の電気的な構成について説明する。ここに、図３は、本実施形態に係る液晶装置１００の要部の電気的な構成を概念的に示すブロック図である。
【００４８】
図３において、本実施形態に係る液晶装置１００は、そのＴＦＴアレイ基板１０上の画像表示領域１０ａの周辺に位置する周辺領域に、走査線駆動回路１０４、データ線駆動回路１０１、共通線駆動回路１１０等の駆動回路が形成されている。
【００４９】
走査線駆動回路１０４は、走査信号を、走査線Ｙ１からＹｎ（但し、ｎは１以上の整数）に順次供給する。例えば、ある走査線Ｙａ（但し、ａは、１≦ａ≦ｎを満たす整数）にハイレベルの走査信号が供給されると、この走査線Ｙａに接続されたＴＦＴ１１６が全てオン状態となり、この走査線Ｙａに対応する画素部７０が全て選択される。
【００５０】
データ線駆動回路１０１は、画像信号を、データ線Ｘ１からＸｍ（但し、ｍは１以上の整数）に順次供給し、オン状態のＴＦＴ１１６を介してこの画像信号に基づく画像電圧を画素電極９ａ及び蓄積容量１１９に書き込む。本実施形態では特に、データ線駆動回路１０１は、１水平走査期間毎に極性（言い換えれば、論理レベル）が反転すると共に同一の水平走査期間についても見た場合に１垂直走査期間毎に反転する信号ＰＳを参照しながら、該信号ＰＳの論理レベルがハイレベルの場合に正極性書込を行い且つ信号ＰＳの論理レベルがローレベルの場合に負極性書込を行うように、画像信号をデータ線Ｘ１からＸｍに供給する。より具体的には、ある水平走査期間にａ行目の画素部７０に対して正極性書込を行った場合には、次の水平走査期間においてａ＋１行目の画素部７０に対して負極性書込を行うと共に、次の垂直走査期間においてａ行目の画素部７０に対して負極性書込を行う。つまり、本実施形態では、走査線Ｙ１からＹｎ毎に極性反転を行っている。尚、本実施形態における極性反転は、液晶素子１１８の他端たる対向電極２１の電位を基準として、データ線Ｘ１からＸｍに供給される画像信号の電位レベルを交流反転させることをいう。
【００５１】
容量線駆動回路１１０は、後に詳述するように、第１電圧ＶＳＣＨ又は第１電圧ＶＳＣＨよりも電位が低い第２電圧ＶＳＣＬを、容量線ＳＣ１からＳＣｎに供給する。より具体的には、容量線駆動回路１１０は、ａ行目の容量線ＳＣａに対して、１垂直走査期間毎に（或いは、１フィールド期間毎に又は１フレーム期間毎に）、第１電圧ＶＳＣＨと第２電圧ＶＳＣＬとを交互に供給する。例えば、容量線駆動回路１１０は、ある１垂直走査期間において、容量線ＳＣａに第１電圧ＶＳＣＨを供給した場合には、次の１垂直走査期間において、容量線ＳＣａに第２電圧ＶＳＣＬを供給する。他方、容量線駆動回路１１０は、ある１垂直走査期間において、容量線ＳＣａに第２電圧ＶＳＣＬを供給した場合には、次の１垂直走査期間において、容量線ＳＣａに第１電圧ＶＳＣＨを供給する。このとき、容量線駆動回路１１０は、正極性書込及び負極正書込のいずれが行われているかに応じて、ａ行目の容量線ＳＣａに対して、１垂直走査期間毎に（或いは、１フィールド期間毎に又は１フレーム期間毎に）、第１電圧ＶＳＣＨと第２電圧ＶＳＣＬとを交互に供給する。具体的には、ａ行目の画素部７０に対して正極性書込みが行われている場合には、ａ行の後段のａ＋１行目の走査線Ｙａ＋１に供給されている走査信号がローレベルになった場合に、ａ行目の容量線ＳＣａに、相対的にハイレベルである第１電圧ＶＳＣＨを供給する。他方、ａ行目の画素部７０に対して負極性書込みが行われている場合には、ａ行の後段のａ＋１行目の走査線Ｙａ＋１に供給されている走査信号がローレベルになった場合に、ａ行目の容量線ＳＣａに、相対的にローレベルである第２電圧ＶＳＣＬを供給する。また、容量線駆動回路１１０は、互いに隣接する容量線ＳＣａ−１と容量線ＳＣａには、互いに異なる電圧を供給する。つまり、容量線駆動回路１１０は、容量線ＳＣａ−１に第１電圧ＶＳＣＨ（又は、第２電圧ＶＳＣＬ）を供給する一方で、容量線ＳＣａ−１に隣接する容量線ＳＣａに第２電圧ＶＳＣＬ（又は、第１電圧ＶＳＣＨ）を供給する。尚、容量線駆動回路１１０の構成や詳細な動作については後に詳細に説明する（図４から図７参照）。
【００５２】
本実施形態に係る液晶装置１００には、更に、そのＴＦＴアレイ基板１０の中央を占める画像表示領域１０ａに、マトリクス状に配列された複数の画素部７０が設けられている。
【００５３】
画素部７０は、画素スイッチング用のＴＦＴ１１６、画素電極９ａ、液晶素子１１８、対向電極２１及び蓄積容量１１９を備えている。
【００５４】
ＴＦＴ１１６は、ソース端子がデータ線Ｘ１〜Ｘｍのいずれかに電気的に接続され、ゲート端子が走査線Ｙ１からＹｎのいずれかに電気的に接続され、ドレイン端子が画素電極９ａに電気的に接続されている。画素スイッチング用のＴＦＴ１１６は、走査線駆動回路１０４から供給される走査信号によってオン状態及びオフ状態が切り換えられる。
【００５５】
液晶素子１１８は、画素電極９ａ、対向電極２１並びに画素電極９ａ及び共通電極２１間に位置する液晶から構成されている。画素電極９ａは、ＴＦＴ１１６を介してデータ線Ｘ１からＸｍのいずれかと電気的に接続されている。対向電極２１は、不図示の共通配線と電気的に接続されている。液晶装置１００の動作時には、データ線Ｘ１からＸｍ及びＴＦＴ１１６を介して供給された画像信号の電位を有する画素電極９ａと、共通線を介して供給された共通電圧の電位を有する対向電極２１との間には電界が生じる。液晶は、当該電界に応じて駆動されることによって、即ち、当該電界に応じて分子集合の配向や秩序が変化することによって、光を変調し、階調表示を可能とする。
【００５６】
蓄積容量１１９は、保持された画像信号がリークするのを防ぐために付加されている。蓄積容量１１９を構成する一方の電極は、画素電極９ａに電気的に接続され、他方の電極は、容量線ＳＣ１からＳＣｎのいずれかに電気的に接続されている。
【００５７】
（３）容量線駆動回路の具体的な構成及び動作
続いて、図４を参照して、容量線駆動回路１１０の具体的な構成及び動作について説明する。ここに、図４は、容量線駆動回路１１０の構成を概念的に示すブロック図である。
【００５８】
図４に示すように、容量線駆動回路１１０は、本発明における「供給回路」及び「切替回路」の一具体例を構成するラッチ回路１１１と、本発明における「供給回路」及び「切替回路」の一具体例を構成する電圧選択回路１１２と、本発明における「制御回路」の一具体例を構成する短絡制御回路１１３とを備えている。
【００５９】
続いて、図５を参照して、容量線駆動回路１１０が備えるラッチ回路１１１の構成について説明する。ここに、図５は、容量線駆動回路１１０が備えるラッチ回路１１１の構成を概念的に示すブロック図である。
【００６０】
図５に示すように、ラッチ回路１１１は、ｋ−１行目からｋ行目の容量線ＳＣｋ−１からＳＣｋに対応して設けられたラッチ回路部１１１＃ｋを含んでいる。尚、ｋは、２≦ｋ≦ｎを満たす整数であり、典型的には偶数である。
【００６１】
ラッチ回路部１１１＃ｋは、ラッチ回路部１１１＃ｋに対応する容量線ＳＣｋ−１及びＳｋの後段（つまり、後の行）の走査線Ｙｋ＋１に供給される走査信号の論理レベルがハイレベルのときの極性信号ＰＯＬを保持するラッチＵ１１と、ラッチＵ１１により保持された極性信号ＰＯＬを、容量制御信号ＣＳＬがハイレベルとなるタイミングでラッチ信号ＬＡＴｋとして出力するラッチＵ１２と、容量制御信号ＣＳＬの反転信号と走査線Ｙｋ＋１に供給される走査信号との論理和の反転信号をラッチＵ１２に供給するＮＯＲ回路Ｕ１３とを備えている。ＮＯＲ回路Ｕ１３の出力信号により、ラッチＵ１２は、走査線Ｙｋ＋１に供給される走査信号がハイレベルの場合には、容量制御信号ＣＳＬがハイレベルとなってもラッチＵ１１により保持された極性信号ＰＯＬをラッチＬＡＴｋとして出力しない構成となっている。
【００６２】
尚、極性信号ＰＯＬは、１垂直走査期間毎に電位レベルがハイレベルからローレベルへと又はローレベルからハイレベルへと切り替わる信号である。また、容量制御信号ＣＳＬは、１水平走査期間毎に１個のハイレベルのパルスを有する信号である。
【００６３】
続いて、図６を参照して、容量線駆動回路１１０が備える電圧選択回路１１２の構成について説明する。ここに、図６は、容量線駆動回路１１０が備える電圧選択回路１１２の構成を概念的に示すブロック図である。
【００６４】
図６に示すように、電圧選択回路１１２は、ｋ−１行目からｋ行目の容量線ＳＣｋ−１からＳＣｋに対応して設けられた電圧選択回路部１１２＃ｋを含んでいる。尚、ｋは、２≦ｋ≦ｎを満たす整数であり、典型的には偶数である。
【００６５】
電圧選択回路部１１２＃ｋは、インバータＵ２１、ＴＦＴＵ２２、ＴＦＴＵ２３、ＴＦＴＵ２４及びＴＦＴＵ２５を備えている。
【００６６】
インバータＵ２１の入力端子、ＴＦＴＵ２２の非反転入力ゲート端子及びＴＦＴＵ２３の反転入力ゲート端子の夫々には、ラッチ回路１１１から出力されるラッチ信号ＬＡＴｋが入力される。
【００６７】
インバータＵ２１の出力端子には、ＴＦＴＵ２４の非反転入力ゲート端子及びＴＦＴＵ２５の反転入力ゲート端子の夫々が電気的に接続されている。ＴＦＴＵ２３のソース端子及びＴＦＴＵ２５のソース端子の夫々には、第１電圧ＶＳＣＨが供給される。また、ＴＦＴＵ２２のソース端子及びＴＦＴＵ２４のソース端子の夫々には、第２電圧ＶＳＣＬが供給される。また、ＴＦＴＵ２２のドレイン端子及びＴＦＴＵ２３のドレイン端子の夫々は相互に電気的に接続されると共に、ＴＦＴＵ２４のドレイン端子及びＴＦＴＵ２５のドレイン端子の夫々は相互に電気的に接続される。
【００６８】
以上の電圧回路選択部１１２＃ｋは、以下のように動作する。
【００６９】
まず、ラッチ回路１１１からハイレベルのラッチ信号ＬＡＴｋが出力されると、このハイレベルのラッチ信号ＬＡＴｋは、ＴＦＴＵ２２の非反転入力ゲート端子及びＴＦＴＵ２３の反転入力ゲート端子の夫々に入力される。加えて、ハイレベルのラッチ信号ＬＡＴｋは、インバータＵ２１において極性が反転されてローレベルの信号に変換され、該ローレベルの信号が、ＴＦＴＵ２４の非反転入力ゲート端子及びＴＦＴＵ２５の反転入力ゲート端子の夫々に入力される。このため、ＴＦＴＵ２２がオン状態になり、ＴＦＴＵ２３がオフ状態となり、ＴＦＴＵ２４がオフ状態となり、ＴＦＴ２５がオン状態となる。その結果、第２電圧ＶＳＣＬを供給するＶＳＣＬラインから、ＴＦＴＵ２２を介して、第２電圧ＶＳＣＬが、電圧レベル信号ＶＯＵＴｋ−１として出力されると共に、第１電圧ＶＳＣＨを供給するＶＳＣＨラインから、ＴＦＴＵ２５を介して、第１電圧ＶＳＣＨが、電圧レベル信号ＶＯＵＴｋとして出力される。
【００７０】
他方、ラッチ回路１１１からローレベルのラッチ信号ＬＡＴｋが出力されると、このローレベルのラッチ信号ＬＡＴｋは、ＴＦＴＵ２２の非反転入力ゲート端子及びＴＦＴＵ２３の反転入力ゲート端子の夫々に入力される。加えて、ローレベルのラッチ信号ＬＡＴｋは、インバータＵ２１において極性が反転されてハイレベルの信号に変換され、該ハイレベルの信号が、ＴＦＴＵ２４の非反転入力ゲート端子及びＴＦＴＵ２５の反転入力ゲート端子の夫々に入力される。このため、ＴＦＴＵ２２がオフ状態になり、ＴＦＴＵ２３がオン状態となり、ＴＦＴＵ２４がオン状態となり、ＴＦＴ２５がオフ状態となる。その結果、第１電圧ＶＳＣＨを供給するＶＳＣＨラインから、ＴＦＴＵ２３を介して、第１電圧ＶＳＣＨが、電圧レベル信号ＶＯＵＴｋ−１として出力されると共に、第２電圧ＶＳＣＬを供給するＶＳＣＬラインから、ＴＦＴＵ２４を介して、第２電圧ＶＳＣＬが、電圧レベル信号ＶＯＵＴｋとして出力される。
【００７１】
続いて、図７を参照して、容量線駆動回路１１０が備える短絡制御回路１１３の構成について説明する。ここに、図７は、容量線駆動回路１１０が備える短絡制御回路１１３の構成を概念的に示すブロック図である。
【００７２】
図７に示すように、短絡制御回路１１３は、ｋ−１行目からｋ行目の容量線ＳＣｋ−１からＳＣｋに対応して設けられた短絡制御回路部１１３＃ｋを含んでいる。尚、ｋは、２≦ｋ≦ｎを満たす整数であり、典型的には偶数である。
【００７３】
短絡制御回路部１１３＃ｋは、ＴＦＴＵ３１、ＴＦＴＵ３２及びＴＦＴＵ３３を備えている。
【００７４】
ＴＦＴＵ３１のソース端子には、電圧レベル信号ＶＯＵＴｋ−１が入力される。ＴＦＴＵ３１の反転入力ゲート端子には、短絡制御回路部１１３＃ｋに対応する容量線ＳＣｋ−１及びＳＣｋの後段（つまり、後の行）の走査線Ｙｋ＋１が電気的に接続されている。ＴＦＴＵ３１のドレイン端子には、ＴＦＴＵ３３のソース端子及び容量線ＳＣｋ−１の夫々が電気的に接続されている。
【００７５】
ＴＦＴＵ３２のソース端子には、電圧レベル信号ＶＯＵＴｋが入力される。ＴＦＴＵ３２の反転入力ゲート端子には、短絡制御回路部１１３＃ｋに対応する容量線ＳＣｋ−１及びＳＣｋの後段（つまり、後の行）の走査線Ｙｋ＋１が電気的に接続されている。ＴＦＴＵ３２のドレイン端子には、ＴＦＴＵ３３のドレイン端子及び容量線ＳＣｋの夫々が電気的に接続されている。
【００７６】
ＴＦＴＵ３３の非反転入力ゲート端子には、短絡制御回路部１１３＃ｋに対応する容量線ＳＣｋ−１及びＳＣｋの後段（つまり、後の行）の走査線Ｙｋ＋１が電気的に接続されている。
【００７７】
以上の短絡制御回路部１１３＃ｋは、以下のように動作する。
【００７８】
まず、走査線Ｙｋ＋１にハイレベルの走査信号が供給されると、該ハイレベルの走査信号は、ＴＦＴＵ３１の反転入力ゲート端子、ＴＦＴＵ３２の反転入力ゲート端子及びＴＦＴＵ３３の非反転入力ゲート端子の夫々に入力される。このため、ＴＦＴＵ３１及びＴＦＴＵ３２の夫々がオフ状態になると共に、ＴＦＴＵ３３がオン状態となる。その結果、容量線ＳＣｋ−１に電圧レベル信号ＶＯＵＴｋ−１が供給されることはなく、且つ容量線ＳＣｋに電圧レベル信号ＶＯＵＴｋが供給されることはない。一方で、容量線ＳＣｋ−１とＳＣｋとがＴＦＴＵ３３を介して電気的に相互に接続された状態（言い換えれば、短絡した状態）となる。従って、第１電圧ＶＳＣＨ及び第２電圧ＶＳＣＭＬのいずれか一方が供給されていた容量線ＳＣｋ−１と第１電圧ＶＳＣＨ及び第２電圧ＶＳＣＬのいずれか他方が供給されていた容量線ＳＣｋとの夫々の電位が、同電位になる。このとき、典型的には、容量線ＳＣｋ−１及びＳＣｋの夫々の電位は、第１電圧ＶＳＣＨの電位と第２電圧ＶＳＣＬの電位との間の中間電位（典型的には、第１電圧ＶＳＣＨの電位と第２電圧ＶＳＣＬの平均値）となる。
【００７９】
他方で、走査線Ｙｋ＋１にローレベルの走査信号が供給されると、該ローレベルの走査信号は、ＴＦＴＵ３１の反転入力ゲート端子、ＴＦＴＵ３２の反転入力ゲート端子及びＴＦＴＵ３３の非反転入力ゲート端子の夫々に入力される。このため、ＴＦＴＵ３１及びＴＦＴＵ３２の夫々がオン状態になると共に、ＴＦＴＵ３３がオフ状態となる。その結果、容量線ＳＣｋ−１に電圧レベル信号ＶＯＵＴｋ−１が供給され、且つ容量線ＳＣｋに電圧レベル信号ＶＯＵＴｋが供給される。一方で、容量線ＳＣｋ−１とＳＣｋとは、ＴＦＴＵ３３を介して電気的に相互に切り離された状態となる。従って、中間電位となっていた容量線ＳＣｋ−１及びＳＣｋの夫々に対して、対応する行の画素部７０に対して正極性書込が行われていたか又は負極性書込が行われていたかに応じて、第１電圧ＶＳＣＨ又は第２電圧ＶＳＣＬが供給される。その結果、容量線ＳＣｋ−１及びＳＣｋの夫々の電位は、第１電圧ＶＳＣＨの電位又は第２電圧ＶＳＣＬの電位となる。つまり、特段の電力を供給（或いは、消費）することなく（言い換えれば、ＶＳＣＨラインやＶＳＣＬラインから電圧を供給することなく）、容量線ＳＣの電位を、第１電圧ＶＳＣＨの電位又は第２電圧ＶＳＣＬの電位から中間電位へと遷移させることができる。
【００８０】
ここで、以上の如き動作を行う容量線駆動回路１１０の動作について、図８を用いて、より詳細に説明する。ここに、図８は、容量線駆動回路１１０の動作を示すタイミングチャートである。
【００８１】
図８に示すように、時刻ｔ１で極性信号ＰＯＬがローレベルからハイレベルに反転したとする。極性信号ＰＯＬがハイレベルに切り替わるため、前の垂直走査期間（垂直走査期間＃１）で第１電圧ＶＣＳＨが供給されていた奇数行の容量線ＳＣｉ（但し、ｉ＝１、３、・・・、ｎ−１）には、次の垂直走査期間（垂直走査期間＃２）で第２電圧ＶＳＣＬが供給されるようになり、前の垂直走査期間で第２電圧ＶＳＣＬが供給されていた偶数行の容量線ＳＣｊ（但し、ｊ＝２、４、・・・、ｎ）には、次の垂直走査期間で第１電圧ＶＳＣＨが供給されるようになる。
【００８２】
具体的には、まず、走査線Ｙ１の走査信号がハイレベルになった時点で、第１行の画素部７０に対する書込み（ここでは、負極性書込）が行われ、続いて、走査線Ｙ２の走査信号がハイレベルになった時点で、第２行の画素部７０に対する書込み（ここでは、正極性書込）が行われる。
【００８３】
その後、走査線Ｙ３の走査信号がハイレベルになった時点で、第３行の画素部７０に対する書込み（ここでは、正極性書込）が行われると同時に、上述した容量線駆動回路１１０の短絡制御回路１１３の動作により、容量線ＳＣ１と容量線ＳＣ２とが電気的に相互に接続される。このため、容量線ＳＣ１及び容量線ＳＣ２の電位の夫々は、中間電位となる。つまり、容量線ＳＣ１の電位は、第１電圧ＶＳＣＨの電位から中間電位へと遷移し、容量線ＳＣ２の電位は、第２電圧ＶＳＣＬの電位から中間電位へと遷移する。その後、走査信号Ｙ３の走査信号がローレベルになった時点で、容量線ＳＣ１には第２電圧ＶＳＣＬが供給され且つ容量線ＳＣ２には第１電圧ＶＳＣＨが供給される。
【００８４】
他の容量線Ｚｋ−１及びＺｋについても同様に、走査線Ｙｋ−１の走査信号がハイレベルになった時点で、第ｋ−１行の画素部７０に対する書込み（ここでは、負極性書込）が行われ、続いて、走査線Ｙｋの走査信号がハイレベルになった時点で、第ｋ行の画素部７０に対する書込み（ここでは、正極性書込）が行われる。走査線Ｙｋ＋１の走査信号がハイレベルになった時点で、(i)容量線ＳＣｋ−１及びＳＣｋが電気的に相互に接続されることで、容量線ＳＣｋ−１の電位が第１電圧ＶＳＣＨの電位から中間電位に遷移し且つ容量線ＳＣｋの電位が第２電圧ＶＳＣＬの電位から中間電位に遷移すると共に、(ii)反転した極性信号ＰＯＬがラッチ信号ＬＡＴｋとして出力され、電位レベル信号ＶＯＵＴｋ−１が第１電圧ＶＳＣＨから第２電圧ＶＳＣＬに切り替わり、電位レベル信号ＶＯＵＴｋが第２電圧ＶＳＣＬから第１電圧ＶＳＣＨに切り替わる。その後、走査線Ｙｋ＋１の走査信号がローレベルになった時点で、容量線ＳＣｋ−１及びＳＣｋが電気的に切り離されることで、容量線ＳＣｋ−１の電位が中間電位から第２電圧ＶＳＣＬの電位に遷移し且つ容量線ＳＣｋの電位が中間電位から第１電圧ＶＳＣＨの電位に遷移する。
【００８５】
垂直走査期間＃２の動作が終了した後に、垂直走査期間＃３の動作を行う場合も概ね同様の動作が行われる。
【００８６】
具体的には、走査線Ｙｋ−１の走査信号がハイレベルになった時点で、第ｋ−１行の画素部７０に対する書込み（ここでは、正極性書込）が行われ、続いて、走査線Ｙｋの走査信号がハイレベルになった時点で、第ｋ行の画素部７０に対する書込み（ここでは、負極性書込）が行われる。走査線Ｙｋ＋１の走査信号がハイレベルになった時点で、(i)容量線ＳＣｋ−１及びＳＣｋが電気的に相互に接続されることで、容量線ＳＣｋ−１の電位が第２電圧ＶＳＣＬの電位から中間電位に遷移し且つ容量線ＳＣｋの電位が第１電圧ＶＳＣＨの電位から中間電位に遷移すると共に、(ii)反転した極性信号ＰＯＬがラッチ信号ＬＡＴｋとして出力され、電位レベル信号ＶＯＵＴｋ−１が第２電圧ＶＳＣＬから第１電圧ＶＳＣＨに切り替わり、電位レベル信号ＶＯＵＴｋが第１電圧ＶＳＣＨから第２電圧ＶＳＣＬに切り替わる。その後、走査線Ｙｋ＋１の走査信号がローレベルになった時点で、容量線ＳＣｋ−１及びＳＣｋが電気的に切り離されることで、容量線ＳＣｋ−１の電位が中間電位から第１電圧ＶＳＣＨの電位に遷移し且つ容量線ＳＣｋの電位が中間電位から第２電圧ＶＳＣＬの電位に遷移する。
【００８７】
このように、本実施形態によれば、容量線ＳＣ１からＳＣｎの電位（言い換えれば、蓄積容量１１９の他端の電位）を第１電圧ＶＳＣＨから第２電圧ＶＳＣＬへと又は第２電圧ＶＳＣＬから第１電圧ＶＳＣＨへと反転させるために、中間電位と第１電圧ＶＳＣＨの電位との電位差又は中間電位と第２電圧ＶＳＣＬの電位との電位差を与えることができる程度の相対的に小さな電力を消費すれば足りる。言い換えれば、第１電圧ＶＳＣＨの電位と第２電圧ＶＳＣＬの電位との電位差又は第２電圧ＶＳＣＬの電位と第１電圧ＶＳＣＨの電位との電位差を与える程度に相対的に大きな電力を消費する必要はない。このため、本実施形態によれば、第１電圧ＶＳＣＨの電位と第２電圧ＶＳＣＬの電位との電位差又は第２電圧ＶＳＣＬの電位と第１電圧ＶＳＣＨの電位との電位差をＶＳＣＨライン及びＶＳＣＬラインのみから与える必要がある構成（つまり、容量線ＳＣｋ−１と容量線ＳＣｋとを短絡しない構成）と比較して、容量線ＳＣ１からＳＣｎに電位を書き込む動作に必要な消費電力の削減（例えば、概ね半分程度の削減）を図ることができる。
【００８８】
加えて、本実施形態では、データ線Ｘ１からＸｍに供給される画像信号の電圧の極性に応じて容量線ＳＣ１からＳＣｎの電位を高位側（例えば、第１電圧ＶＳＣＨ）又は低位側（例えば、第２電圧ＶＳＣＬ）にシフトさせている。これにより、蓄積容量１１９の画素電極９ａ側の端部の電位が持ち上げられる又は持ち下げられると同時に、持ち上げられた又は持ち下げられた分の電荷が液晶素子１１８に分配される。その結果、液晶素子１１８には、データ線Ｘ１からＸｍに供給される画像信号の電圧以上の電圧実効値が印加されることになる。つまり、最終的に画素電極９ａを介して液晶素子１１８に印加される電圧と比較して、データ線Ｘ１からＸｍに供給される画像信号の電圧の振幅を小さくすることができる。このため、低消費電力化を図ることができる。
【００８９】
更に、相隣接する２つの容量線ＳＣｋ−１及びＳＣｋの夫々に対して、１つのラッチ回路部１１１＃ｋ（更には、電圧選択回路部１１２＃ｋ及び短絡制御回路１１３＃ｋ）を設ければ足りるため、各容量線Ｚｋに１つのラッチ回路部１１１＃ｋを設ける必要がある構成と比較して、容量線駆動回路１１０の消費電力を更に削減することができる。加えて、容量線駆動回路１１０自体のサイズをも小さくすることができるため、額縁領域を狭くすることができる。
【００９０】
（４）変形例
続いて、図９及び図１０を参照して、本実施形態に係る液晶装置１００が備える容量線駆動回路の変形例（容量線駆動回路１２０）について説明する。ここに、図９は、変形例に係る容量線駆動回路１２０が備えるラッチ回路１２１の構成を概念的に示すブロック図であり、図１０は、変形例に係る容量線駆動回路１２０が備える短絡制御回路１２３の構成を概念的に示すブロック図である。尚、上述した容量線駆動回路１１０と同一の構成については、同一の参照符号を付して、その詳細な説明については省略する。
【００９１】
図９に示すように、変形例に係るラッチ回路１２１は、ｋ−１行目からｋ行目の容量線ＳＣｋ−１からＳＣｋに対応して設けられたラッチ回路部１２１＃ｋを含んでいる。尚、ｋは、２≦ｋ≦ｎを満たす整数であり、典型的には偶数である。
【００９２】
ラッチ回路部１２１＃ｋは、上述したラッチ回路部１１１＃ｋが備える構成に加えて、ＮＡＮＤ回路Ｕ１８、ＮＡＮＤ回路Ｕ１９及びＮＡＮＤ回路Ｕ２０を備えている。
【００９３】
ＮＡＮＤ回路Ｕ１８の出力は、ラッチＵ１１及びＮＯＲ回路Ｕ１３の夫々に入力される。ＮＡＮＤ回路Ｕ１８の２つの入力端子には、ＮＡＮＤ回路Ｕ１９の出力端子及びＮＡＮＤ回路Ｕ２０の出力端子が、夫々電気的に接続されている。ＮＡＮＤ回路Ｕ１９の２つの入力端子には、スキャン方向制御信号ＣＳＶを反転した信号である信号ＸＣＳＶ及び走査線Ｙｋ−２に供給される走査信号が、夫々入力される。但し、ｋ＝２の場合には（つまり、ラッチ回路部１２１＃１においては）、走査線Ｙｋ−２に供給される走査信号に代えて高電位電源ＶＨＨの出力が入力される。ＮＡＮＤ回路Ｕ２０の２つの入力端子には、走査線Ｙｋ＋１に供給される走査信号及びスキャン方向制御信号ＣＳＶが、夫々入力される。
【００９４】
スキャン方向制御信号ＣＳＶは、スキャン方向が順方向である場合（具体的には、走査信号が、走査線Ｙ１からＹｎに向かって順に供給される場合）にハイレベルの信号となり、スキャン方向が逆方向である場合（具体的には、走査信号が、走査線ＹｎからＹ１に向かって順に供給される場合）にローレベルの信号となる。
【００９５】
スキャン方向が順方向である場合には、ＮＡＮＤ回路Ｕ１９の出力は、常にハイレベルとなり、且つＮＡＮＤ回路Ｕ２０の出力は、走査線Ｙｋ＋１に供給される走査信号を反転させた信号となる。その結果、ＮＡＮＤ回路１８の出力は、走査線Ｙｋ＋１に供給される走査信号となる。
【００９６】
他方、スキャン方向が逆方向である場合には、ＮＡＮＤ回路Ｕ１９の出力は、走査線Ｙｋ−２に供給される走査信号を反転させた信号となり、且つＮＡＮＤ回路Ｕ２０の出力は、常にハイレベルの信号となる。その結果、ＮＡＮＤ回路１８の出力は、走査線Ｙｋ−２に供給される走査信号となる。
【００９７】
変形例に係るラッチ回路１２１は、以上のような構成を有するため、スキャン方向に対して後段の行の走査信号を各ラッチ回路部１２１＃ｋにおいて特定することができると共に、特定された走査信号がハイレベルになるタイミングで、極性信号ＰＯＬを取り込むことができる。従って、スキャン方向が順方向であろうが或いは逆方向であろうが、上述した動作を好適に行うことができ、その結果、上述した各種効果を好適に享受することができる。
【００９８】
図１０に示すように、変形例に係る短絡制御回路１２３は、ｋ−１行目からｋ行目の容量線ＳＣｋ−１からＳＣｋに対応して設けられた短絡制御回路部１２３＃ｋを含んでいる。尚、ｋは、２≦ｋ≦ｎを満たす整数であり、典型的には偶数である。
【００９９】
短絡制御回路部１２３＃ｋは、上述した短絡制御回路部１１３＃ｋが備える構成に加えて、ＮＡＮＤ回路Ｕ３８、ＮＡＮＤ回路Ｕ３９及びＮＡＮＤ回路Ｕ４０を備えている。
【０１００】
ＮＡＮＤ回路Ｕ３８の出力端子は、ＴＦＴＵ３１の反転入力ゲート端子、ＴＦＴＵ３２の反転入力ゲート端子及びＴＦＴＵ３３の非反転入力ゲート端子の夫々に電気的に接続されている。ＮＡＮＤ回路Ｕ３８の２つの入力端子には、ＮＡＮＤ回路Ｕ３９の出力端子及びＮＡＮＤ回路Ｕ４０の出力端子が、夫々電気的に接続されている。ＮＡＮＤ回路Ｕ３９の２つの入力端子には、スキャン方向制御信号ＣＳＶを反転した信号である信号ＸＣＳＶ及び走査線Ｙｋ−２に供給される走査信号が、夫々入力される。ＮＡＮＤ回路Ｕ４０の２つの入力端子には、走査線Ｙｋ＋１に供給される走査信号及びスキャン方向制御信号ＣＳＶが、夫々入力される。
【０１０１】
スキャン方向が順方向である場合には、ＮＡＮＤ回路Ｕ３９の出力は、常にハイレベルとなり、且つＮＡＮＤ回路Ｕ４０の出力は、走査線Ｙｋ＋１に供給される走査信号を反転させた信号となる。その結果、ＮＡＮＤ回路３８の出力は、走査線Ｙｋ＋１に供給される走査信号となる。
【０１０２】
他方、スキャン方向が逆方向である場合には、ＮＡＮＤ回路Ｕ３９の出力は、走査線Ｙｋ−２に供給される走査信号を反転させた信号となり、且つＮＡＮＤ回路Ｕ４０の出力は、常にハイレベルの信号となる。その結果、ＮＡＮＤ回路３８の出力は、走査線Ｙｋ−２に供給される走査信号となる。
【０１０３】
変形例に係る短絡制御回路１２３は、以上のような構成を有するため、スキャン方向に対して後段の行の走査信号を各短絡制御回路部１２３＃ｋにおいて特定することができると共に、特定された走査信号がハイレベルになるタイミングで、相隣接する２つの容量線ＳＣｋ−１とＳＣｋとを短絡させることができる。従って、スキャン方向が順方向であろうが或いは逆方向であろうが、上述した動作を好適に行うことができ、その結果、上述した各種効果を好適に享受することができる。
【０１０４】
（５）電子機器
続いて、図１１及び図１２を参照しながら、上述の液晶装置１００を具備してなる電子機器の例を説明する。
【０１０５】
図１１は、上述した液晶装置１００が適用されたモバイル型のパーソナルコンピュータの斜視図である。図１１において、コンピュータ１２００は、キーボード１２０２を備えた本体部１２０４と、上述した液晶装置１００を含んでなる液晶表示ユニット１２０６とから構成されている。液晶表示ユニット１２０６は、液晶装置１００の背面にバックライトを付加することにより構成されている。
【０１０６】
次に、上述した液晶装置１００を携帯電話に適用した例について説明する。図１２は、電子機器の一例である携帯電話の斜視図である。図１２において、携帯電話１３００は、複数の操作ボタン１３０２とともに、半透過反射型の表示形式を採用し、且つ上述した液晶装置１と同様の構成を有する液晶装置１００５を備えている。
【０１０７】
これらの電子機器においても、上述した液晶装置１００を含んでいるため、上述した各種効果を好適に享受することができる。
【０１０８】
尚、図１１及び図１２を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【０１０９】
本発明は、上述した実施例に限られるものではなく、請求の範囲及び明細書全体から読み取れる発明の要旨或いは思想に反しない範囲で適宜変更可能であり、そのような変更を伴なう駆動装置、電気光学装置及び電子機器もまた本発明の技術的範囲に含まれるものである。
【図面の簡単な説明】
【０１１０】
【図１】実施形態に係る液晶装置の構成を示す平面図である。
【図２】図１のＨ−Ｈ’断面図である。
【図３】本実施形態に係る液晶装置の要部の電気的な構成を概念的に示すブロック図である。
【図４】容量線駆動回路の構成を概念的に示すブロック図である。
【図５】容量線駆動回路が備えるラッチ回路の構成を概念的に示すブロック図である。
【図６】容量線駆動回路が備える電圧選択回路の構成を概念的に示すブロック図である。
【図７】容量線駆動回路が備える短絡制御回路の構成を概念的に示すブロック図である。
【図８】容量線行動回路の動作を示すタイミングチャートである。
【図９】変形例に係る容量線駆動回路が備えるラッチ回路の構成を概念的に示すブロック図である。
【図１０】変形例に係る容量線駆動回路が備える短絡制御回路の構成を概念的に示すブロック図である。
【図１１】液晶装置が適用されたモバイル型のパーソナルコンピュータの斜視図である。
【図１２】液晶装置が適用された携帯電話の斜視図である。
【符号の説明】
【０１１１】
１…液晶装置、１１…共通電極、１０１…データ線駆動回路、１０４…走査線駆動回路、１１０…容量線駆動回路、１１１…ラッチ回路、１１２…電圧選択回路、１１３…短絡制御回路、Ｙ１〜Ｙｎ…走査線、ＳＣ１〜ＳＣｎ…容量線
【図１】
0004715840.tif 000002
【図２】
0004715840.tif 000003
【図３】
0004715840.tif 000004
【図４】
0004715840.tif 000005
【図５】
0004715840.tif 000006
【図６】
0004715840.tif 000007
【図７】
0004715840.tif 000008
【図８】
0004715840.tif 000009
【図９】
0004715840.tif 000010
【図１０】
0004715840.tif 000011
【図１１】
0004715840.tif 000012
【図１２】
0004715840.tif 000013